(57)【要約】【課題】上着を収納する袋部を目立たなくして、収納状態の上着を小型化できる技術を提供する。【解決手段】袋部１８に収納可能な上着１０において、袋部１８は、該上着１０の内面に形成されて開口を有し、開口側から裏返すことで該上着１０を収納する。開口は、該上着１０の下端側にて横向きに開放する。袋部１８の第１布部は、横向きに長手状に形成される。第２布部は、第１布部より横方向に短い。第１布部の一端と第２布部の一端により開口が形成される。【選択図】図２
2020176347.tif 000002
【特許請求の範囲】
【請求項１】
袋部に収納可能な上着であって、
該上着の内面に形成されて開口を有し、前記開口側から裏返すことで該上着を収納する袋部を備え、
前記開口は、該上着の下端側にて横向きに開放することを特徴とする上着。
【請求項２】
前記袋部は、
横向きに長手状に形成された第１布部と、
前記第１布部より横方向に短い第２布部と、を有し、
前記第１布部の一端と前記第２布部の一端により前記開口が形成され、
前記第１布部および前記第２布部が前記開口側からそれぞれ裏返されることで、該上着が収納されることを特徴とする請求項１に記載の上着。
【請求項３】
下端側に形成されたポケットをさらに備え、
前記袋部の端部は、前記ポケットの端部と同じ縫い代に縫い付けられることを特徴とする請求項１または２に記載の上着。
【発明の詳細な説明】
【技術分野】
【０００１】
本発明は、袋部を備え、袋部に収納可能な上着に関する。
【背景技術】
【０００２】
特許文献１には、上着の背裏地の中央に出入口を有する袋部を有する上着が開示されている。上着は、出入口を開きながら袋部を裏返し、上着全体を包み込むようにして収納される。
【先行技術文献】
【特許文献】
【０００３】
【特許文献１】特開平７−３３１５１１号公報
【発明の概要】
【発明が解決しようとする課題】
【０００４】
特許文献１に開示される技術では、上着の背面の中央に袋部の出入口を有するため、着衣者が背中を張ると出入口が開放されて目立つおそれがある。
【０００５】
本発明の目的は、上着を収納する袋部を目立たなくして、収納状態の上着を小型化できる技術を提供することにある。
【課題を解決するための手段】
【０００６】
上記課題を解決するために、本発明のある態様は、袋部に収納可能な上着であって、該上着の内面に形成されて開口を有し、開口側から裏返すことで該上着を収納する袋部を備える。開口は、該上着の下端側にて横向きに開放する。
【発明の効果】
【０００７】
本発明によれば、上着を収納する袋部を目立たなくして、収納状態の上着を小型化する技術を提供できる。
【図面の簡単な説明】
【０００８】
【図１】図１（ａ）は、実施例の上着の正面図であり、図１（ｂ）は、上着の背面図である。
【図２】上着の内面を示す図である。
【図３】上着の内面の部分拡大図を示す図である。
【図４】上着を袋部に収納する工程について説明するための図である。
【図５】上着を袋部に収納する工程について説明するための図であって、図４に示す収納工程の続きを示す図である。
【発明を実施するための形態】
【０００９】
図１（ａ）は、実施例の上着１０の正面図であり、図１（ｂ）は、上着１０の背面図である。上着１０は、いわゆるダウンジャケットであり、袖がない形状であるが、この態様に限られず、袖を有してよい。上着１０はダウンジャケットであるため、羽毛を収容する複数の収容部１１ａ，１１ｂを有する。図１（ａ）および図１（ｂ）では、複数の収容部１１ａ，１１ｂが上下に区分されている態様を示すが、この態様に限られず、横方向に区分されてよく、矩形状に区分されていてもよい。また、上着１０はダウンジャケットに限定されない。
【００１０】
上着１０は、正面部１２と、背面部１４と、第１ポケット１６ａおよび第２ポケット１６ｂ（これらを区別しない場合「ポケット１６」という）と、袋部１８とを備える。
【００１１】
上着１０の正面部１２は、結合部１２ａにより結合および結合解除可能である。結合部１２ａは、線状のファスナーであり、一対の正面部１２のそれぞれに設けられた歯を結合する。なお、結合部１２ａは、一対の正面部１２を結合できればよく、例えばボタンであってもよい。
【００１２】
ポケット１６は、正面部１２の内面に矩形状に形成され、正面部１２の内面に左右に分かれて一対設けられる。ポケット１６は、物体を収容可能である。ポケット１６は、上着１０の外に開口しており、上着１０を着ているユーザは、その開口からポケット１６に手を入れることができる。
【００１３】
袋部１８は、正面部１２の内側に形成される。袋部１８は、上着１０を収納可能であり、上着１０を収納することで上着１０が小さくなって持ち運びしやすくなる。袋部１８を内面に形成することで袋部１８が目立たなくなる。
【００１４】
上着１０を下側の収容部１１ａと、上側の収容部１１ｂとに大別した場合、下側の収容部１１ａは、上側の収容部１１ｂより羽毛の充填率が低くなるように設けられる。つまり、下側の収容部１１ａと上側の収容部１１ｂの体積当りの羽毛量は、下側の収容部１１ａの方が上側の収容部１１ｂより低くなる。これにより、上着１０を軽量化できる。
【００１５】
図２は、上着１０の内面を示す図である。図２に示す上着１０は、背面部１４を部分的に折り畳んた状態を示す。また、図３は、上着１０の内面の部分拡大図を示す。図３に示す上着１０は、第１ポケット１６ａおよび袋部１８を拡大して示し、袋部１８の第１布部２０を部分的に切り欠いた状態を示す。また、図３では、破線で袋部１８のステッチを示す。
【００１６】
袋部１８は、第１ポケット１６ａ側に設けられる態様を示すが、第２ポケット１６ｂ側に設けられてもよい。袋部１８は、横向きに長手状に形成され、正面部１２の下端１２ｃ側に設けられ、ポケット１６に載せられる。
【００１７】
袋部１８は、図３に示すように、第１布部２０、第２布部２２および第３布部２４を有する。図３の第１布部２０は、下端１２ｃ側を切り欠いて示されるが、実際には第２布部２２と同じ上下幅を有する。第１布部２０および第２布部２２は、第３布部２４を覆うように設けられる。
【００１８】
第１布部２０の一端２０ａは、第３布部２４に縫い付けられておらず、第２布部２２の一端２２ａも第３布部２４に縫い付けられていない。つまり、第１布部２０の一端２０ａと、第２布部２２の一端２２ａとが袋部１８の開口２６を形成する。袋部１８の開口２６は、上着１０の内側に開放する。第１布部２０の一端２０ａと、第２布部２２の一端２２ａは、パイピング始末によりゴム材料を有しており、伸縮可能である。これにより、開口２６が通常は閉じた状態にあるが、上着１０を収納させる際に大きく開くことが可能となる。
【００１９】
第１布部２０の他端２０ｂ側の両角と、第２布部２２の他端２０ｂ側の両角にタックが設けられる。また、第１布部２０および第２布部２２は、一対の横ステッチ２８の上下間隔より長い上下方向の生地の長さを有している。これにより、袋部１８の収納空間を確保できる。
【００２０】
袋部１８の横ステッチ２８は、袋部１８の上下の両辺部に位置して横向きに延在し、第１布部２０および第２布部２２の上下の両辺部と、第３布部２４の上下の両辺部を縫い合わせて連結する。なお、横ステッチ２８は、袋部１８とポケット１６とを連結していない。これにより、上着１０を収納した際の袋部１８が円筒形状になりやすくなる。
【００２１】
袋部１８の縦ステッチ３０は、袋部１８の左右の両辺部に位置して縦向きに延在し、第１布部２０の他端２０ｂおよび第２布部２２の他端２２ｂと、第３布部２４の左右の両辺部および正面部１２とを縫い合わせて連結する。縦ステッチ３０により、袋部１８が正面部１２の内面に縫い付けられる。横ステッチ２８および縦ステッチ３０により袋部１８が上下左右の辺で縫い合わされて、矩形に形成される。袋部１８は、先に横ステッチ２８および縦ステッチ３０により矩形に形成された後、別の縦ステッチ３０により正面部１２に縫い付けられてもよい。
【００２２】
第１布部２０は、横向きに長手状に形成され、第２布部２２は、第１布部２０より横方向に短い。第１布部２０の横方向長さは、袋部１８の横方向長さの半分より長く、第２布部２２の横方向長さは、袋部１８の横方向長さの半分より短い。これにより、上着を収納する際に先に第１布部２０を裏返して、その後に第２布部２２を裏返すことで、最後の上着１０の詰め込みを容易にできる。
【００２３】
第１布部２０の一端２０ａと第２布部２２の一端２２ａを重ねた部分に開口２６が形成される。第１布部２０および第２布部２２を部分的に重ねることで、袋部１８を収納した際の袋部１８の全長を確保できる。開口２６は、上着１０の下端１２ｃ側にて横向きに開放する。
【００２４】
ポケット１６は、正面部１２の左右の縫い代１２ｄに縫い付けられる。袋部１８を正面部１２に縫い付ける縦ステッチ３０も縫い代１２ｄに縫い付けられている。つまり、袋部１８の端部は、ポケット１６の端部と同じ縫い代１２ｄに縫い付けられる。これにより、袋部１８の縦ステッチ３０がダウンジャケットの収容部を遮ることを避けられ、縦ステッチ３０を目立たなくできる。
【００２５】
第２布部２２の他端２２ｂには、共布ループにより取っ手が形成される。この取っ手は上着１０を袋部１８に収納した際に露出する。
【００２６】
図４は、上着１０を袋部１８に収納する工程について説明するための図である。図４（ａ）には、上着１０が内側を広げられた状態を示し、袋部１８が露出している。図４（ｂ）には、上着１０が、袋部１８の横方向長さに合わせて略半分に折り畳まれた様子を示す。
【００２７】
図４（ｃ）には、上着１０が首側から下端１２ｃに向かって巻回されている様子を示す。第２ポケット１６ｂが内側に位置し、第１ポケット１６ａおよび袋部１８は内側に巻き込まれないように外側に位置している。上着１０が縫い代１２ｄに沿って丸められることで、円筒状に綺麗に畳められ、直径を小さく丸められる。
【００２８】
図５は、上着１０を袋部１８に収納する工程について説明するための図であって、図４に示す収納工程の続きを示す。図５（ａ）には、上着１０が円筒状に丸められて、袋部１８が露出した状態を示す。
【００２９】
袋部１８は、円筒状の上着１０の軸方向に沿って位置する。上着１０は、袋部１８の横向き長さに応じた円筒状になっている。袋部１８が上着１０の下端１２ｃ側で横向きに配置されているため、上着１０を首側から下端１２ｃに向かって丸めれば、円筒状の上着１０に全長が露出する。これにより、収納時の上着１０のしわを減らすことが可能である。また、袋部１８が位置する上着１０の下端１２ｃ側とは、袋部１８が下端１２ｃに接しなくてもよく、上着１０を首側から下端１２ｃに向かって丸めた図５（ａ）に示す状態で、袋部１８が露出するように下端１２ｃの周辺に位置していればよい。
【００３０】
円筒状になった上着１０に対して、第１布部２０が裏返される。ユーザは、第１布部２０の一端２０ａを掴んで開口２６を広げるようにして第１布部２０を裏返す。図５（ｂ）には、第１布部２０が裏返されて、上着１０が第１布部２０および第３布部２４により部分的に包まれた状態を示す。第１布部２０は横向きに長く形成されているため、収納されていない上着１０のはみ出た部分３１を少なくできる。第１布部２０を裏返した際に、はみ出た部分３１が膨れるが、その膨れを小さくできる。これにより、第２布部２２の裏返し工程を容易にできる。
【００３１】
次に、第２布部２２が一端２２ａから裏返され、はみ出た上着１０が開口２６に押し込まれ、図５（ｃ）に示すように、上着１０が袋部１８に収納された状態になる。収納状態の上着１０では、円筒状になっており、取っ手３２が露出している。第１布部２０および第２布部２２が横向きに等間隔である場合と比べて、横方向に短い第２布部２２を最後に裏返せばよいので、上着１０を収納する工程を容易にできる。
【００３２】
このように、第１布部２０および第２布部２２をそれぞれ開口２６側から裏返すことで、上着１０が袋部１８に収納される。また、図５（ａ）に示す上着１０が直径小さく丸められるため、袋部１８に収納した状態も円筒状に形成しやすい。これにより、収納された上着１０のしわを減らすこともできる。
【００３３】
また、上着１０を円筒状に丸めたときに外周部分が膨らみやすいが、図１（ａ）に示したように下側の収容部１１ａの体積当りの羽毛量を減らすことで、外周部分の膨らみを抑えることができる。
【００３４】
本発明は上述の各実施例に限定されるものではなく、当業者の知識に基づいて各種の設計変更等の変形を各実施例に対して加えることも可能であり、そのような変形が加えられた実施例も本発明の範囲に含まれうる。
【符号の説明】
【００３５】
１０  上着、  １２  正面部、  １２ａ  結合部、  １２ｂ  内面、  １２ｃ  下端、  １２ｄ  縫い代、  １４  背面部、  １６ａ  第１ポケット、  １６ｂ  第２ポケット、  １８  袋部、  ２０  第１布部、  ２０ａ  一端、  ２０ｂ  他端、  ２２  第２布部、  ２２ａ  一端、  ２２ｂ  他端、  ２４  第３布部、  ２６  開口、  ２８  横ステッチ、  ３０  縦ステッチ、  ３２  取っ手。
【図１】
2020176347.tif 000003
【図２】
2020176347.tif 000004
【図３】
2020176347.tif 000005
【図４】
2020176347.tif 000006
【図５】
2020176347.tif 000007